(57)【特許請求の範囲】
【請求項１】
無線基地局が、間欠受信状態からアイドル状態に遷移させるべき複数の対象移動局を決定する工程と、
前記無線基地局が、移動管理ノードに対して、前記複数の対象移動局の識別情報を含む所定移動局に係るコンテキスト解放要求信号を送信する工程と、
前記移動管理ノードが、前記コンテキスト解放要求信号に応じて、該所定移動局のアクセスベアラを解放し、前記無線基地局に対して、該所定移動局に係るコンテキスト解放指示信号を送信する工程と、
前記無線基地局が、前記複数の対象移動局に対して、コネクション解放信号を送信する工程とを有することを特徴とする移動通信方法。
【請求項２】
無線基地局が、間欠受信状態からアイドル状態に遷移させるべき複数の対象移動局を決定する工程と、
前記無線基地局が、移動管理ノードに対して、所定移動局に係るコンテキスト解放要求信号を送信する工程と、
前記移動管理ノードが、前記コンテキスト解放要求信号に応じて、該所定移動局のアクセスベアラを解放し、前記無線基地局に対して、該所定移動局に係るコンテキスト解放指示信号を送信する工程と、
前記無線基地局が、前記複数の対象移動局に対して、コネクション解放信号を送信する工程と、
前記無線基地局が、前記移動管理ノードに対して、前記複数の対象移動局の識別情報を含む前記所定移動局に係るコンテキスト解放完了信号を送信する工程とを有することを特徴とする移動通信方法。
【請求項３】
移動管理ノードが、間欠受信状態からアイドル状態に遷移させるべき複数の対象移動局を決定する工程と、
前記移動管理ノードが、無線基地局に対して、前記複数の対象移動局の識別情報を含む所定移動局に係るコンテキスト解放指示信号を送信する工程と、
前記無線基地局が、前記コンテキスト解放指示信号に応じて、前記複数の対象移動局に対して、コネクション解放信号を送信する工程とを有することを特徴とする移動通信方法。
【請求項４】
間欠受信状態からアイドル状態に遷移させるべき複数の対象移動局を決定するように構成されている決定部と、
移動管理ノードに対して前記複数の対象移動局の識別情報を含む所定移動局に係るコンテキスト解放要求信号を送信するように構成されている送信部と、
前記移動管理ノードから、前記所定移動局に係るコンテキスト解放指示信号を受信するように構成されている受信部とを具備しており、
前記送信部は、前記複数の対象移動局に対して、コネクション解放信号を送信するように構成されていることを特徴とする無線基地局。
【請求項５】
間欠受信状態からアイドル状態に遷移させるべき複数の対象移動局を決定するように構成されている決定部と、
移動管理ノードに対して、所定移動局に係るコンテキスト解放要求信号を送信するように構成されている送信部と、
前記移動管理ノードから、前記所定移動局に係るコンテキスト解放指示信号を受信するように構成されている受信部とを具備しており、
前記送信部は、前記複数の対象移動局に対して、コネクション解放信号を送信した後、前記複数の対象移動局の識別情報を含む前記所定移動局に係るコンテキスト解放完了信号を送信するように構成されていることを特徴とする無線基地局。
【請求項６】
間欠受信状態からアイドル状態に遷移させるべき複数の対象移動局を決定するように構成されている決定部と、
無線基地局に対して、前記複数の対象移動局の識別情報を含む所定移動局に係るコンテキスト解放指示信号を送信するように構成されている送信部とを具備していることを特徴とする移動管理ノード。
【発明の詳細な説明】
【技術分野】
【０００１】
本発明は、移動通信方法、無線基地局及び移動管理ノードに関する。
【背景技術】
【０００２】
ＬＴＥ（Ｌｏｎｇ  Ｔｅｒｍ  Ｅｖｏｌｕｔｉｏｎ）方式の移動通信システムでは、ＡＣＢ（Ａｃｃｅｓｓ  Ｃｌａｓｓ  Ｂａｒｒｉｎｇ）のメカニズムを用いて、ＲＲＣ_ＩＤＬＥ状態（アイドル状態）の移動局ＵＥによって発信処理（位置登録処理を含む。以下、同様）に関する信号、例えば、位置登録処理用シグナリング（ＭＯ-ｓｉｇｎａｌｌｉｎｇ）やＵ-ｐｌａｎ  ｅ発信処理用シグナリング（ＭＯ-ｄａｔａ）を送信するためのＲＡ（Ｒａｎｄｏｍ  Ａｃｃｅｓｓ）手順における「ＲＡ  Ｐｒｅａｍｂｌｅ」の送信を規制することができる。
【先行技術文献】
【非特許文献】
【０００３】
【非特許文献１】３ＧＰＰ  ＴＳ３６.３００
【非特許文献２】３ＧＰＰ  ＴＳ３６.２１１
【非特許文献３】３ＧＰＰ  ＴＳ３６.２１３
【非特許文献４】３ＧＰＰ  ＴＳ３６.３２１
【非特許文献５】３ＧＰＰ  ＴＳ３６.３３１
【発明の概要】
【発明が解決しようとする課題】
【０００４】
しかしながら、従来のＬＴＥ方式の移動通信システムでは、「ＲＲＣ_ＣＯＮＮＥＣＴＩＯＮ」状態（接続状態）で且つＤＲＸ（Ｄｉｓｃｏｎｔｉｎｕｏｕｓ  Ｒｅｃｅｐｔｉｏｎ）状態（間欠受信状態）の移動局ＵＥによって「ＵＬ  ｄａｔａ  ａｒｒｉｖａｌ」を契機として行われるＲＡ手順における「ＲＡ  Ｐｒｅａｍｂｌｅ」の送信に対して、ＡＣＢを行うことができない、すなわち、かかる「ＲＡ  Ｐｒｅａｍｂｌｅ」の送信を規制することができない。
【０００５】
その結果、混雑時に、優先端末による発信処理や緊急呼の発信処理を行うためのＲＡ手順で送信される「ＲＡ  Ｐｒｅａｍｂｌｅ」が、上述の「ＲＡ  Ｐｒｅａｍｂｌｅ」に衝突し、かかるＲＡ手順が失敗し、かかる発信処理が遅延したり、かかる発信処理が失敗したりする可能性があるという問題点があった。
【０００６】
そこで、本発明は、上述の課題に鑑みてなされたものであり、混雑時においても、優先端末による発信処理や緊急呼の発信処理を成功させる確率を向上させることができる移動通信方法、無線基地局及び移動管理ノードを提供することを目的とする。
【課題を解決するための手段】
【０００７】
本発明の第１の特徴は、移動通信方法であって、無線基地局が、間欠受信状態からアイドル状態に遷移させるべき複数の対象移動局を決定する工程と、前記無線基地局が、移動管理ノードに対して、前記複数の対象移動局の識別情報を含む所定移動局に係るコンテキスト解放要求信号を送信する工程と、前記移動管理ノードが、前記コンテキスト解放要求信号に応じて、該所定移動局のアクセスベアラを解放し、前記無線基地局に対して、該所定移動局に係るコンテキスト解放指示信号を送信する工程と、前記無線基地局が、前記複数の対象移動局に対して、コネクション解放信号を送信する工程とを有することを要旨とする。
【０００８】
本発明の第２の特徴は、移動通信方法であって、無線基地局が、間欠受信状態からアイドル状態に遷移させるべき複数の対象移動局を決定する工程と、前記無線基地局が、移動管理ノードに対して、所定移動局に係るコンテキスト解放要求信号を送信する工程と、前記移動管理ノードが、前記コンテキスト解放要求信号に応じて、該所定移動局のアクセスベアラを解放し、前記無線基地局に対して、該所定移動局に係るコンテキスト解放指示信号を送信する工程と、前記無線基地局が、前記複数の対象移動局に対して、コネクション解放信号を送信する工程と、前記無線基地局が、前記移動管理ノードに対して、前記複数の対象移動局の識別情報を含む前記所定移動局に係るコンテキスト解放完了信号を送信する工程とを有することを要旨とする。
【０００９】
本発明の第３の特徴は、移動通信方法であって、移動管理ノードが、間欠受信状態からアイドル状態に遷移させるべき複数の対象移動局を決定する工程と、前記移動管理ノードが、無線基地局に対して、前記複数の対象移動局の識別情報を含む所定移動局に係るコンテキスト解放指示信号を送信する工程と、前記無線基地局が、前記コンテキスト解放指示信号に応じて、前記複数の対象移動局に対して、コネクション解放信号を送信する工程とを有することを要旨とする。
【００１０】
本発明の第４の特徴は、無線基地局であって、間欠受信状態からアイドル状態に遷移させるべき複数の対象移動局を決定するように構成されている決定部と、移動管理ノードに対して、前記複数の対象移動局の識別情報を含む所定移動局に係るコンテキスト解放要求信号を送信するように構成されている送信部と、前記移動管理ノードから、前記所定移動局に係るコンテキスト解放指示信号を受信するように構成されている受信部とを具備しており、前記送信部は、前記複数の対象移動局に対して、コネクション解放信号を送信するように構成されていることを要旨とする。
【００１１】
本発明の第５の特徴は、無線基地局であって、間欠受信状態からアイドル状態に遷移させるべき複数の対象移動局を決定するように構成されている決定部と、移動管理ノードに対して、所定移動局に係るコンテキスト解放要求信号を送信するように構成されている送信部と、前記移動管理ノードから、前記所定移動局に係るコンテキスト解放指示信号を受信するように構成されている受信部とを具備しており、前記送信部は、前記複数の対象移動局に対して、コネクション解放信号を送信した後、前記複数の対象移動局の識別情報を含む前記所定移動局に係るコンテキスト解放完了信号を送信するように構成されていることを要旨とする。
【００１２】
本発明の第６の特徴は、移動管理ノードであって、間欠受信状態からアイドル状態に遷移させるべき複数の対象移動局を決定するように構成されている決定部と、無線基地局に対して、前記複数の対象移動局の識別情報を含む所定移動局に係るコンテキスト解放指示信号を送信するように構成されている送信部とを具備していることを要旨とする。
【発明の効果】
【００１３】
以上説明したように、本発明によれば、混雑時においても、優先端末による発信処理や緊急呼の発信処理を成功させる確率を向上させることができる移動通信方法、無線基地局及び移動管理ノードを提供することができる。
【図面の簡単な説明】
【００１４】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって送信される「ＵＥ  Ｃｏｎｔｅｘｔ  Ｒｅｌｅａｓｅ  Ｒｅｑｕｅｓｔ」のフォーマットの一例を示す図である。
【図４】本発明の第１の実施形態に係る無線基地局によって送信される「ＵＥ  Ｃｏｎｔｅｘｔ  Ｒｅｌｅａｓｅ  Ｃｏｍｐｌｅｔｅ」のフォーマットの一例を示す図である。
【図５】本発明の第１の実施形態に係る移動通信システムの動作を説明するためのシーケンス図である。
【図６】本発明の第２の実施形態に係る移動管理ノードの機能ブロック図である。
【図７】本発明の第２の実施形態に係る移動通信システムの動作を説明するためのシーケンス図である。
【発明を実施するための形態】
【００１５】
（本発明の第１の実施形態に係る移動通信システム）
図１乃至図５を参照して、本発明の第１の実施形態に係る移動通信システムについて説明する。
【００１６】
本実施形態に係る移動通信システムは、ＬＴＥ方式をサポートするものであって、図１に示すように、ゲートウェイ装置Ｓ-ＧＷ（Ｓｅｒｖｉｎｇ-Ｇａｔｅｗａｙ）と、移動管理ノードＭＭＥ（Ｍｏｂｉｌｉｔｙ  Ｍａｎａｇｅｍｅｎｔ  Ｅｎｔｉｔｙ）と、無線基地局ｅＮＢと、移動局ＵＥとを具備している。
【００１７】
ここで、移動管理ノードＭＭＥと無線基地局ｅＮＢとの間は、Ｓ１インターフェイスによって接続されている。
【００１８】
図２に示すように、本実施形態に係る無線基地局ｅＮＢは、決定部１１と、送信部１２と、受信部１３とを具備している。
【００１９】
決定部１１は、ＤＲＸ状態からＲＲＣ_ＩＤＬＥ状態に遷移させるべき複数の対象移動局ＵＥを決定するように構成されている。
【００２０】
すなわち、決定部１１は、ＤＲＸ状態の移動局ＵＥのうち、「ＲＡ  Ｐｒｅａｍｂｌｅ」の送信を規制するべき複数の移動局ＵＥを、複数の対象移動局ＵＥとして決定するように構成されている。
【００２１】
送信部１２は、移動局ＵＥや移動管理ノードＭＭＥやゲートウェイ装置Ｓ-ＧＷに対して、各種信号を送信するように構成されており、受信部１３は、移動局ＵＥや移動管理ノードＭＭＥやゲートウェイ装置Ｓ-ＧＷから、各種信号を受信するように構成されている。
【００２２】
例えば、送信部１２は、移動管理ノードＭＭＥに対して、複数の対象移動局ＵＥの識別情報を含む所定移動局ＵＥに係る「ＵＥ  Ｃｏｎｔｅｘｔ  Ｒｅｌｅａｓｅ  Ｒｅｑｕｅｓｔ」を送信するように構成されていてもよい。
【００２３】
具体的には、図３に示すように、送信部１２は、「ＵＥ  Ｃｏｎｔｅｘｔ  Ｒｅｌｅａｓｅ  Ｒｅｑｕｅｓｔ」内の情報要素「ＵＥ  Ｃｏｎｔｅｘｔ  ｔｏ  ｂｅ  Ｒｅｌｅａｓｅｄ  Ｌｉｓｔ」を用いて、複数の対象移動局ＵＥの識別情報を通知するように構成されている。
【００２４】
ここで、図３に示す「ＵＥ  Ｃｏｎｔｅｘｔ  Ｒｅｌｅａｓｅ  Ｒｅｑｕｅｓｔ」内の情報要素「ＭＭＥ  ＵＥ  Ｓ１ＡＰ  ＩＤ」及び「ｅＮＢ  ＵＥ  Ｓ１ＡＰ  ＩＤ」が、上述の所定移動局ＵＥを示す。
【００２５】
或いは、送信部１２は、移動管理ノードＭＭＥに対して、複数の対象移動局ＵＥの識別情報を含む所定移動局ＵＥに係る「ＵＥ  Ｃｏｎｔｅｘｔ  Ｒｅｌｅａｓｅ  Ｃｏｍｐｌｅｔｅ」を送信するように構成されていてもよい。
【００２６】
具体的には、図４に示すように、送信部１２は、「ＵＥ  Ｃｏｎｔｅｘｔ  Ｒｅｌｅａｓｅ  Ｃｏｍｐｌｅｔｅ」内の情報要素「ＵＥ  Ｃｏｎｔｅｘｔ  ｔｏ  ｂｅ  Ｒｅｌｅａｓｅｄ  Ｌｉｓｔ」を用いて、複数の対象移動局ＵＥの識別情報を通知するように構成されている。
【００２７】
ここで、図４に示す「ＵＥ  Ｃｏｎｔｅｘｔ  Ｒｅｌｅａｓｅ  Ｃｏｍｐｌｅｔｅ」内の情報要素「ＭＭＥ  ＵＥ  Ｓ１ＡＰ  ＩＤ」及び「ｅＮＢ  ＵＥ  Ｓ１ＡＰ  ＩＤ」が、上述の所定移動局ＵＥを示す。
【００２８】
また、送信部１２は、複数の対象移動局ＵＥに対して、「ＲＲＣ  Ｃｏｎｎｅｃｔｉｏｎ  Ｒｅｌｅａｓｅ」を送信するように構成されている。
【００２９】
なお、受信部１３が、移動管理ノードＭＭＥから、所定移動局ＵＥに係る「ＵＥ  Ｃｏｎｔｅｘｔ  Ｒｅｌｅａｓｅ  Ｃｏｍｍａｎｄ」を受信した場合に、送信部１２は、複数の対象移動局ＵＥに対して、「ＲＲＣ  Ｃｏｎｎｅｃｔｉｏｎ  Ｒｅｌｅａｓｅ」を送信するように構成されていてもよい。
【００３０】
以下、図５を参照して、本実施形態に係る移動通信システムの動作について説明する。
【００３１】
図５に示すように、無線基地局ｅＮＢは、ＤＲＸ状態からＲＲＣ_ＩＤＬＥ状態に遷移させるべき複数の対象移動局ＵＥを決定すると、ステップＳ１００１又はＳ１００６において、複数の対象移動局ＵＥに対して、「ＲＲＣ  Ｃｏｎｎｅｃｔｉｏｎ  Ｒｅｌｅａｓｅ」を送信する。
【００３２】
ステップＳ１００２において、無線基地局ｅＮＢは、移動管理ノードＭＭＥに対して、所定移動局ＵＥに係る「ＵＥ  Ｃｏｎｔｅｘｔ  Ｒｅｌｅａｓｅ  Ｒｅｑｕｅｓｔ」を送信する。
【００３３】
ここで、無線基地局ｅＮＢは、所定移動局ＵＥに係る「ＵＥ  Ｃｏｎｔｅｘｔ  Ｒｅｌｅａｓｅ  Ｒｅｑｕｅｓｔ」によって、移動管理ノードＭＭＥに対して、複数の対象移動局ＵＥの識別情報を通知してもよい。
【００３４】
ステップＳ１００３において、移動管理ノードＭＭＥは、ゲートウェイ装置Ｓ-ＧＷに対して、「Ｒｅｌｅａｓｅ  Ａｃｃｅｓｓ  Ｂｅａｒｅｒｓ  Ｒｅｑｕｅｓｔ」を送信し、ステップＳ１００４において、ゲートウェイ装置Ｓ-ＧＷは、移動管理ノードＭＭＥに対して、「Ｒｅｌｅａｓｅ  Ａｃｃｅｓｓ  Ｂｅａｒｅｒｓ  Ｒｅｓｐｏｎｓｅ」を送信することによって、所定移動局ＵＥのアクセスベアラを解放する。
【００３５】
ステップＳ１００５において、移動管理ノードＭＭＥは、無線基地局ｅＮＢに対して、所定移動局ＵＥに係る「ＵＥ  Ｃｏｎｔｅｘｔ  Ｒｅｌｅａｓｅ  Ｃｏｍｍａｎｄ」を送信する。
【００３６】
無線基地局ｅＮＢは、複数の対象移動局ＵＥのＲＲＣコネクションの解放処理が完了次第、ステップＳ１００７において、移動管理ノードＭＭＥに対して、所定移動局ＵＥに係る「ＵＥ  Ｃｏｎｔｅｘｔ  Ｒｅｌｅａｓｅ  Ｃｏｍｐｌｅｔｅ」を送信する。
【００３７】
ここで、無線基地局ｅＮＢは、所定移動局ＵＥに係る「ＵＥ  Ｃｏｎｔｅｘｔ  Ｒｅｌｅａｓｅ  Ｃｏｍｐｌｅｔｅ」によって、移動管理ノードＭＭＥに対して、複数の対象移動局ＵＥの識別情報を通知してもよい。
【００３８】
本実施形態に係る発明によれば、混雑時には、無線基地局ｅＮＢ主導で、ＤＲＸ状態の複数の対象移動局ＵＥをＲＲＣ_ＩＤＬＥ状態に遷移させることによって、複数の対象移動局ＵＥによる「ＲＡ  Ｐｒｅａｍｂｌｅ」の送信を規制することができるため、優先端末による発信処理や緊急呼の発信処理を成功させる確率を向上させることができる。
【００３９】
また、本実施形態に係る発明によれば、ＤＲＸ状態の複数の対象移動局ＵＥをＲＲＣ_ＩＤＬＥ状態に遷移させるために必要なＳ１インターフェイス上におけるシグナリングを低減することができ、移動管理ノードＭＭＥにおけるシグナリング負荷を軽減することができる。
【００４０】
（本発明の第２の実施形態に係る移動通信システム）
以下、図５乃至図７を参照して、本発明の第２の実施形態に係る移動通信システムについて、上述の第１の実施形態に係る移動通信システムとの相違点に着目して説明する。
【００４１】
図６に示すように、本実施形態に係る移動管理ノードＭＭＥは、決定部２１と、送信部２２と、受信部２３とを具備している。
【００４２】
決定部２１は、ＤＲＸ状態からＲＲＣ_ＩＤＬＥ状態に遷移させるべき複数の対象移動局ＵＥを決定するように構成されている。
【００４３】
すなわち、決定部２１は、ＤＲＸ状態の移動局ＵＥのうち、「ＲＡ  Ｐｒｅａｍｂｌｅ」の送信を規制するべき複数の移動局ＵＥを、複数の対象移動局ＵＥとして決定するように構成されている。
【００４４】
送信部２２は、無線基地局ｅＮＢやゲートウェイ装置Ｓ-ＧＷに対して、各種信号を送信するように構成されており、受信部２３は、無線基地局ｅＮＢやゲートウェイ装置Ｓ-ＧＷから、各種信号を受信するように構成されている。
【００４５】
例えば、送信部２２は、無線基地局ｅＮＢに対して、複数の対象移動局ＵＥの識別情報を含む所定移動局ＵＥに係る「ＵＥ  Ｃｏｎｔｅｘｔ  Ｒｅｌｅａｓｅ  Ｃｏｍｍａｎｄ」を送信するように構成されていてもよい。
【００４６】
具体的には、図７に示すように、送信部１２は、「ＵＥ  Ｃｏｎｔｅｘｔ  Ｒｅｌｅａｓｅ  Ｃｏｍｍａｎｄ」内の情報要素「ＵＥ  Ｃｏｎｔｅｘｔ  ｔｏ  ｂｅ  Ｒｅｌｅａｓｅｄ  Ｌｉｓｔ」を用いて、複数の対象移動局ＵＥの識別情報を通知するように構成されている。
【００４７】
ここで、図７に示す「ＵＥ  Ｃｏｎｔｅｘｔ  Ｒｅｌｅａｓｅ  Ｃｏｍｍａｎｄ」内の情報要素「ＵＥ  Ｓ１ＡＰ  ＩＤｓ」が、上述の所定移動局ＵＥを示す。
【００４８】
以下、図５を参照して、本実施形態に係る移動通信システムの動作について説明する。
【００４９】
図５に示すように、移動管理ノードＭＭＥは、ＤＲＸ状態からＲＲＣ_ＩＤＬＥ状態に遷移させるべき複数の対象移動局ＵＥを決定すると、ステップＳ１００３において、ゲートウェイ装置Ｓ-ＧＷに対して、「Ｒｅｌｅａｓｅ  Ａｃｃｅｓｓ  Ｂｅａｒｅｒｓ  Ｒｅｑｕｅｓｔ」を送信し、ステップＳ１００４において、ゲートウェイ装置Ｓ-ＧＷから、「Ｒｅｌｅａｓｅ  Ａｃｃｅｓｓ  Ｂｅａｒｅｒｓ  Ｒｅｓｐｏｎｓｅ」を受信することによって、所定移動局ＵＥのアクセスベアラを解放する。
【００５０】
ステップＳ１００５において、移動管理ノードＭＭＥは、無線基地局ｅＮＢに対して、所定移動局ＵＥに係る「ＵＥ  Ｃｏｎｔｅｘｔ  Ｒｅｌｅａｓｅ  Ｃｏｍｍａｎｄ」を送信する。
【００５１】
ここで、移動管理ノードＭＭＥは、所定移動局ＵＥに係る「ＵＥ  Ｃｏｎｔｅｘｔ  Ｒｅｌｅａｓｅ  Ｃｏｍｐｌｅｔｅ」によって、無線基地局ｅＮＢに対して、複数の対象移動局ＵＥの識別情報を通知してもよい。
【００５２】
ステップＳ１００６において、無線基地局ｅＮＢは、複数の対象移動局ＵＥに対して、「ＲＲＣ  Ｃｏｎｎｅｃｔｉｏｎ  Ｒｅｌｅａｓｅ」を送信する。
【００５３】
無線基地局ｅＮＢは、対象移動局ＵＥのＲＲＣコネクションの解放処理が完了次第、ステップＳ１００７において、移動管理ノードＭＭＥに対して、所定移動局ＵＥに係る「ＵＥ  Ｃｏｎｔｅｘｔ  Ｒｅｌｅａｓｅ  Ｃｏｍｐｌｅｔｅ」を送信する。
【００５４】
本実施形態に係る発明によれば、混雑時には、移動管理ノードＭＭＥ主導で、ＤＲＸ状態の複数の対象移動局ＵＥをＲＲＣ_ＩＤＬＥ状態に遷移させることによって、複数の対象移動局ＵＥによる「ＲＡ  Ｐｒｅａｍｂｌｅ」の送信を規制することができるため、優先端末による発信処理や緊急呼の発信処理を成功させる確率を向上させることができる。
【００５５】
（変更例１）
なお、決定部１１及び１２は、Ｓｐｅｃｉａｌ  ＡＣ（ＡＣ１１-１５）の優先端末を、ＤＲＸ状態からＲＲＣ_ＩＤＬＥ状態に遷移させるべき複数の対象移動局ＵＥとして選択しないように構成されていてもよい。
【００５６】
決定部１１及び１２は、「ＲＲＣ  Ｃｏｎｎｅｃｔｉｏｎ  Ｒｅｑｕｅｓｔ」又は「Ｉｎｔｉｔｉａｌ  ＵＥ  Ｍｅｓｓａｇｅ」内の情報要素「ｅｓｔａｂｌｉｓｈｍｅｎｔ  ｃａｕｓｅ」における「ｈｉｇｈＰｒｉｏｒｉｔｙＡｃｃｅｓｓ」に基づいて、優先端末であるか否かについて判定することができる。
【００５７】
以上に述べた本実施形態の特徴は、以下のように表現されていてもよい。
【００５８】
本実施形態の第１の特徴は、移動通信方法であって、無線基地局ｅＮＢが、ＤＲＸ（間欠受信）状態からＲＲＣ_ＩＤＬＥ（アイドル）状態に遷移させるべき複数の対象移動局ＵＥを決定する工程と、無線基地局ｅＮＢが、移動管理ノードＭＭＥに対して、複数の対象移動局ＵＥの識別情報を含む所定移動局ＵＥに係る「ＵＥ  Ｃｏｎｔｅｘｔ  Ｒｅｌｅａｓｅ  Ｒｅｑｕｅｓｔ（コンテキスト解放要求信号）」を送信する工程と、移動管理ノードＭＭＥが、かかる「ＵＥ  Ｃｏｎｔｅｘｔ  Ｒｅｌｅａｓｅ  Ｒｅｑｕｅｓｔ」に応じて、所定移動局ＵＥのアクセスベアラを解放し、無線基地局ｅＮＢに対して、所定移動局ＵＥに係る「ＵＥ  Ｃｏｎｔｅｘｔ  Ｒｅｌｅａｓｅ  Ｃｏｍｍａｎｄ（コンテキスト解放指示信号）」を送信する工程と、無線基地局ｅＮＢが、複数の対象移動局ＵＥに対して、「ＲＲＣ  Ｃｏｎｎｅｃｔｉｏｎ  Ｒｅｌｅａｓｅ（コネクション解放信号）」を送信する工程とを有することを要旨とする。
【００５９】
本実施形態の第２の特徴は、移動通信方法であって、無線基地局ｅＮＢが、ＤＲＸ状態からＲＲＣ_ＩＤＬＥ状態に遷移させるべき複数の対象移動局ＵＥを決定する工程と、無線基地局ｅＮＢが、移動管理ノードＭＭＥに対して、所定移動局ＵＥに係る「ＵＥ  Ｃｏｎｔｅｘｔ  Ｒｅｌｅａｓｅ  Ｒｅｑｕｅｓｔ」を送信する工程と、移動管理ノードＭＭＥが、かかる「ＵＥ  Ｃｏｎｔｅｘｔ  Ｒｅｌｅａｓｅ  Ｒｅｑｕｅｓｔ」に応じて、所定移動局ＵＥのアクセスベアラを解放し、無線基地局ｅＮＢに対して、所定移動局ＵＥに係る「ＵＥ  Ｃｏｎｔｅｘｔ  Ｒｅｌｅａｓｅ  Ｃｏｍｍａｎｄ」を送信する工程と、無線基地局ｅＮＢが、複数の対象移動局ＵＥに対して、「ＲＲＣ  Ｃｏｎｎｅｃｔｉｏｎ  Ｒｅｌｅａｓｅ」を送信する工程と、無線基地局ｅＮＢが、移動管理ノードＭＭＥに対して、複数の対象移動局ＵＥの識別情報を含む所定移動局ＵＥに係る「ＵＥ  Ｃｏｎｔｅｘｔ  Ｒｅｌｅａｓｅ  Ｃｏｍｐｌｅｔｅ（コンテキスト解放完了信号）」を送信する工程とを有することを要旨とする。
【００６０】
本実施形態の第３の特徴は、移動通信方法であって、移動管理ノードＭＭＥが、ＤＲＸ状態からＲＲＣ_ＩＤＬＥ状態に遷移させるべき複数の対象移動局ＵＥを決定する工程と、移動管理ノードＭＭＥが、無線基地局ｅＮＢに対して、複数の対象移動局ＵＥの識別情報を含む所定移動局ＵＥに係る「ＵＥ  Ｃｏｎｔｅｘｔ  Ｒｅｌｅａｓｅ  Ｃｏｍｍａｎｄ」を送信する工程と、無線基地局ｅＮＢが、かかる「ＵＥ  Ｃｏｎｔｅｘｔ  Ｒｅｌｅａｓｅ  Ｃｏｍｍａｎｄ」に応じて、複数の対象移動局ＵＥに対して、「ＲＲＣ  Ｃｏｎｎｅｃｔｉｏｎ  Ｒｅｌｅａｓｅ」を送信する工程とを有することを要旨とする。
【００６１】
本実施形態の第４の特徴は、無線基地局ｅＮＢであって、ＤＲＸ状態からＲＲＣ_ＩＤＬＥ状態に遷移させるべき複数の対象移動局ＵＥを決定するように構成されている決定部１１と、移動管理ノードＭＭＥに対して、複数の対象移動局ＵＥの識別情報を含む所定移動局ＵＥに係る「ＵＥ  Ｃｏｎｔｅｘｔ  Ｒｅｌｅａｓｅ  Ｒｅｑｕｅｓｔ」を送信するように構成されている送信部１２と、移動管理ノードＭＭＥから、所定移動局ＵＥに係る「ＵＥ  Ｃｏｎｔｅｘｔ  Ｒｅｌｅａｓｅ  Ｃｏｍｍａｎｄ」を受信するように構成されている受信部１３とを具備しており、送信部１２は、複数の対象移動局ＵＥに対して、「ＲＲＣ  Ｃｏｎｎｅｃｔｉｏｎ  Ｒｅｌｅａｓｅ」を送信するように構成されていることを要旨とする。
【００６２】
本実施形態の第５の特徴は、無線基地局ｅＮＢであって、ＤＲＸ状態からＲＲＣ_ＩＤＬＥ状態に遷移させるべき複数の対象移動局ＵＥを決定するように構成されている決定部１１と、移動管理ノードＭＭＥに対して、所定移動局ＵＥに係る「ＵＥ  Ｃｏｎｔｅｘｔ  Ｒｅｌｅａｓｅ  Ｒｅｑｕｅｓｔ」を送信するように構成されている送信部１２と、移動管理ノードＭＭＥから、所定移動局に係る「ＵＥ  Ｃｏｎｔｅｘｔ  Ｒｅｌｅａｓｅ  Ｃｏｍｍａｎｄ」を受信するように構成されている受信部１３とを具備しており、送信部１２は、複数の対象移動局ＵＥに対して、「ＲＲＣ  Ｃｏｎｎｅｃｔｉｏｎ  Ｒｅｌｅａｓｅ」を送信した後、複数の対象移動局ＵＥの識別情報を含む所定移動局ＵＥに係る「ＵＥ  Ｃｏｎｔｅｘｔ  Ｒｅｌｅａｓｅ  Ｃｏｍｐｌｅｔｅ」を送信するように構成されていることを要旨とする。
【００６３】
本実施形態の第６の特徴は、移動管理ノードＭＭＥであって、ＤＲＸ状態からＲＲＣ_ＩＤＬＥ状態に遷移させるべき複数の対象移動局ＵＥを決定するように構成されている決定部２１と、無線基地局ｅＮＢに対して、複数の対象移動局ＵＥの識別情報を含む所定移動局ＵＥに係る「ＵＥ  Ｃｏｎｔｅｘｔ  Ｒｅｌｅａｓｅ  Ｃｏｍｍａｎｄ」を送信するように構成されている送信部２２とを具備していることを要旨とする。
【００６４】
なお、上述の移動局ＵＥや無線基地局ｅＮＢや移動管理ノードＭＭＥの動作は、ハードウェアによって実施されてもよいし、プロセッサによって実行されるソフトウェアモジュールによって実施されてもよいし、両者の組み合わせによって実施されてもよい。
【００６５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢや移動管理ノードＭＭＥ内に設けられていてもよい。また、かかる記憶媒体及びプロセッサは、ディスクリートコンポーネントとして移動局ＵＥや無線基地局ｅＮＢや移動管理ノードＭＭＥ内に設けられていてもよい。
【００６７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６８】
ＵＥ…移動局
ｅＮＢ…無線基地局
ＭＭＥ…移動管理ノード
１１、２１…決定部
１２、２２…送信部
１３、２３…受信部
【図１】
0005926112.tif 000002
【図２】
0005926112.tif 000003
【図３】
0005926112.tif 000004
【図４】
0005926112.tif 000005
【図５】
0005926112.tif 000006
【図６】
0005926112.tif 000007
【図７】
0005926112.tif 000008